(57)【特許請求の範囲】
【請求項１】
ペン先を有した筆記体と、前記筆記体を取り出し可能且つ摺動可能に収容し、前記ペン先が出入する開口を形成された収容体と、前記収容体の前記開口を開閉可能に前記収容体に取り付けられ前記開口を閉鎖するように付勢された閉鎖蓋と、前記収容体に動作可能に設けられた動作体と、を有する、筆記ユニットと、
前記筆記ユニットを取り出し可能に収容するケースであって、前記筆記ユニットの前記開口から出た前記ペン先が通過する先端開口を形成されたケースと、を備え、
前記ケースは、軸方向に延びる側開口であって前記筆記ユニットの取り出しを可能にするための側開口を形成されたケース本体と、前記ケース本体に取り外し可能に装着されるケース蓋体と、前記ケース本体に動作可能に設けられた操作体と、を有し、
前記動作体は、前記筆記ユニットが前記ケースに収容された状態において、前記操作体と係合して前記操作体の前記ケース本体に対する動作にともなって動作可能であり、
前記操作体を介して前記動作体を動作させることによって、前記筆記体の前記ペン先が前記ケースの前記先端開口から延び出る使用状態と、前記筆記体の前記ペン先が前記筆記ユニット内に位置するとともに前記収容体の前記開口が前記閉鎖蓋によって閉鎖された不使用状態と、のいずれかに維持することが可能である、万年筆。
【請求項２】
前記ケース本体および前記ケース蓋体は、軸方向に延びる凸条をそれぞれ有し、前記ケース本体および前記ケース蓋体の前記凸条は、前記ケース本体および前記ケース蓋体が重ね合わされた状態で軸方向に相対移動することによって係合して、軸方向に直交する径方向への前記ケース本体および前記ケース蓋体の相対移動を規制し、
前記ケース本体および前記ケース蓋体のいずれか一方にくぼみが形成され、前記ケース本体および前記ケース蓋体の他方の前記くぼみに対面する位置に係止突起が設けられており、前記くぼみと前記係止突起は、前記ケース本体および前記ケース蓋体の前記凸条が互いに係合した状態で前記ケース本体および前記ケース蓋体が軸方向に相対移動することによって係合して、軸方向への前記ケース本体および前記ケース蓋体の相対移動を規制する、請求項１に記載の万年筆。
【請求項３】
前記係止突起は前記ケース本体に一対設けられ、前記くぼみは前記ケース蓋体に一対設けられ、
前記ケース本体は、前記ケースの外表面をなす外材と、前記外材の内側に配置された内材と、前記外材の内面に沿って延びるＵ字状の金属片と、を含み、
前記金属片の両端が前記一対の係止突起を形成し、前記金属片の前記両端の間の部分は前記外材と前記内材とに挟まれている、請求項２に記載の万年筆。
【請求項４】
前記筆記ユニットは、軸方向へ摺動可能に前記収容体に設けられた位置決め片と、前記収容体内に設けられ前記収容体の内壁と前記位置決め片との間で軸方向に圧縮された弾性部材と、を有し、
前記筆記ユニットが前記ケースに収容された際に、前記位置決め片は、前記弾性部材によって軸方向へ付勢されて前記ケースの内壁に当接する、請求項１〜３のいずれか一項に記載の万年筆。
【請求項５】
前記筆記ユニットは、前記動作体上に設けられ前記動作体に対して摺動可能な摺動体と、前記摺動体を付勢する弾性部材と、をさらに有し、
前記摺動体は、前記筆記ユニットが前記ケースに収容された際に、前記弾性部材によって前記操作体に向けて付勢され、前記操作体と係合し且つ前記操作体の動作にともなって摺動し、
前記ケース本体は、前記摺動体の摺動を案内するガイドを有し、前記摺動体は、前記ガイドと係合する係合部を有し、
前記係合部は、前記ガイドに沿った移動可能な範囲内の一部の区間において、ガイドから離脱可能となっている、請求項１〜４のいずれか一項に記載の万年筆。
【請求項６】
前記筆記ユニットが前記ケースに収容され且つ前記不使用状態にある場合において、前記摺動体が前記弾性部材の付勢に抗して前記操作体から最も離間する位置およびその近傍の位置に配置されると、前記摺動体の前記係合部が前記ケース本体の前記ガイドから離脱可能となる、請求項５に記載の万年筆。
【請求項７】
前記操作体は、前記ケース本体の内壁に面する第１面と前記第１面の反対側面であって前記摺動体に面する第２面とを有する本体部と、前記第１面および前記第２面を結ぶ方向に前記本体部を貫通し前記本体部に対して摺動可能なピンと、を有し、
前記ピンは、前記第１面の側から突出するように前記第２面の側から前記第１面の側へ向けて付勢されており、
前記ケース本体は、前記筆記ユニットが前記ケースに収容され且つ前記不使用状態にある場合に前記操作体の前記ピンと対面する位置に、前記本体部の前記第１面から突出した前記ピンを受ける係止凹部を形成されている、請求項５または６に記載の万年筆。
【請求項８】
前記摺動体は、前記操作体の前記ピンと対面する位置に、前記本体部の前記第２面から突出した前記ピンを受ける連結凹部を形成されている、請求項７に記載の万年筆。
【請求項９】
前記筆記ユニットは、前記収容体内に設けられ前記筆記体を前記開口から離間する方向へ付勢する主弾性部材と、前記収容体内における前記筆記体と前記動作体との間に設けられた中間部材と、をさらに有し、
前記収容体の内壁には、前記中間部材と係合可能な係合段が設けられ、
前記中間部材は、前記動作体の動作にともなって、前記係合段と係合し或いは前記係合段との係合を解除され、前記係合段と係合した場合に前記筆記体を前記使用状態の位置に配置する係止位置に係止され、前記係合段との係合を解除されると前記主弾性部材によって前記係止位置から前記動作体の側へ向けて弾発され、
前記動作体と前記中間部材との間に、前記主弾性部材の前記弾発力を吸収するための吸収機構が設けられている、請求項１〜８のいずれか一項に記載の万年筆。
【請求項１０】
ペン先を有した筆記体と、
前記筆記体を取り出し可能且つ摺動可能に収容し、前記ペン先が出入する開口を形成された収容体と、
前記収容体の前記開口を開閉可能に前記収容体に取り付けられ前記開口を閉鎖するように付勢された閉鎖蓋と、
前記収容体に動作可能に設けられた動作体と、を備える筆記ユニットであって、
筆記ユニットの前記開口から出た前記ペン先が通過する先端開口を形成されたケースの取り出し可能に収容されて万年筆をなし、
前記ケースは、軸方向に延びる側開口であって前記筆記ユニットの取り出しを可能にするための側開口を形成されたケース本体と、前記ケース本体に取り外し可能に装着されるケース蓋体と、前記ケース本体に動作可能に設けられた操作体と、を有しており、
前記動作体は、前記筆記ユニットが前記ケースに収容された状態において、前記操作体と係合して前記操作体の前記ケース本体に対する動作にともなって動作可能であり、
前記操作体を介して前記動作体を動作させることによって、前記筆記体の前記ペン先が前記ケースの前記先端開口から延び出る使用状態と、前記筆記体の前記ペン先が前記筆記ユニット内に位置するとともに前記収容体の前記開口が前記閉鎖蓋によって閉鎖された不使用状態と、のいずれかに維持することが可能である、筆記ユニット。
【請求項１１】
ペン先を有した筆記体と、前記筆記体を取り出し可能且つ摺動可能に収容し、前記ペン先が出入する開口を形成された収容体と、前記収容体の前記開口を開閉可能に前記収容体に取り付けられ前記開口を閉鎖するように付勢された閉鎖蓋と、前記収容体に動作可能に設けられた動作体と、を有する筆記ユニットを取り出し可能に収容し、且つ、前記筆記ユニットの前記開口から出た前記ペン先が通過する先端開口を形成され、前記筆記ユニットともに万年筆をなすケースであって、
軸方向に延びる側開口であって前記筆記ユニットの取り出しを可能にするための側開口を形成されたケース本体と、
前記ケース本体に取り外し可能に装着されるケース蓋体と、
前記ケース本体に動作可能に設けられた操作体と、を備え、
前記動作体は、前記筆記ユニットが前記ケースに収容された状態において、前記操作体と係合して前記操作体の前記ケース本体に対する動作にともなって動作可能であり、
前記操作体を介して前記動作体を動作させることによって、前記筆記体の前記ペン先が前記ケースの前記先端開口から延び出る使用状態と、前記筆記体の前記ペン先が前記筆記ユニット内に位置するとともに前記収容体の前記開口が前記閉鎖蓋によって閉鎖された不使用状態と、のいずれかに維持することが可能である、ケース。
【発明の詳細な説明】
【技術分野】
【０００１】
本発明は、万年筆に係り、とりわけ、意匠性に優れた万年筆に関する。また本発明は、意匠性に優れた万年筆に用いられる筆記ユニットおよびケースに関する。
【背景技術】
【０００２】
従来、筆記用具として万年筆が使用されてきた（例えば特許文献１）。万年筆は、インクを貯留可能な軸胴と、軸胴の先端に設けられたペン先と、を有しており、軸胴の内部にインクを補充することによって半永久的に使用され得る。多くの万年筆は、インクの乾燥やインクの飛散を防止する目的から、キャップを有している。また、インクの補充やメンテナンスを容易に行うことを可能にする等の目的から、一般的に、万年筆は軸方向に分割可能な構造を有しており、万年筆の軸胴には周状のつなぎ目が視認されるようになる。
【０００３】
このように、従来の多くの万年筆は、万年筆特有の問題から、他の筆記具等と比較して構造を制約されてきた。結果として、従来の万年筆の外観デザインを大幅に変化させて、新たな優れた意匠性を付与することは行われ得なかった。
【先行技術文献】
【特許文献】
【０００４】
【特許文献１】特開２００７−１７６１１０
【発明の概要】
【発明が解決しようとする課題】
【０００５】
本発明は、以上の点を考慮してなされたものであり、優れた意匠性を有する万年筆を提供することを目的とする。また、本発明は、万年筆に優れた意匠性を付与することを可能にする万年筆用のケースおよび筆記ユニットを提供することを目的とする。
【課題を解決するための手段】
【０００６】
本発明による万年筆は、
ペン先を有した筆記体と、前記筆記体を取り出し可能且つ摺動可能に収容し、前記ペン先が出入する開口を形成された収容体と、前記収容体の前記開口を開閉可能に前記収容体に取り付けられ前記開口を閉鎖するように付勢された閉鎖蓋と、前記収容体に動作可能に設けられた動作体と、を有する、筆記ユニットと、
前記筆記ユニットを取り出し可能に収容するケースであって、前記筆記ユニットの前記開口から出た前記ペン先が通過する先端開口を形成されたケースと、を備え、
前記ケースは、軸方向に延びる側開口であって前記筆記ユニットの取り出しを可能にするための側開口を形成されたケース本体と、前記ケース本体に取り外し可能に装着されるケース蓋体と、前記ケース本体に動作可能に設けられた操作体と、を有し、
前記動作体は、前記筆記ユニットが前記ケースに収容された状態において、前記操作体と係合して前記操作体の前記ケース本体に対する動作にともなって動作可能であり、
前記操作体を介して前記動作体を動作させることによって、前記筆記体の前記ペン先が前記ケースの前記先端開口から延び出る使用状態と、前記筆記体の前記ペン先が前記筆記ユニット内に位置するとともに前記収容体の前記開口が前記閉鎖蓋によって閉鎖された不使用状態と、のいずれかに維持することが可能である。
【０００７】
本発明による万年筆において、
前記ケース本体および前記ケース蓋体は、軸方向に延びる凸条をそれぞれ有し、前記ケース本体および前記ケース蓋体の前記凸条は、前記ケース本体および前記ケース蓋体が重ね合わされた状態で軸方向に相対移動することによって係合して、軸方向に直交する径方向への前記ケース本体および前記ケース蓋体の相対移動を規制し、
前記ケース本体および前記ケース蓋体のいずれか一方にくぼみが形成され、前記ケース本体および前記ケース蓋体の他方の前記くぼみに対面する位置に係止突起が設けられており、前記くぼみと前記係止突起は、前記ケース本体および前記ケース蓋体の前記凸条が互いに係合した状態で前記ケース本体および前記ケース蓋体が軸方向に相対移動することによって係合して、軸方向への前記ケース本体および前記ケース蓋体の相対移動を規制するようにしてもよい。
【０００８】
本発明による万年筆において、
前記係止突起は前記ケース本体に一対設けられ、前記くぼみは前記ケース蓋体に一対設けられ、
前記ケース本体は、前記ケースの外表面をなす外材と、前記外材の内側に配置された内材と、前記外材の内面に沿って延びるＵ字状の金属片と、を含み、
前記金属片の両端が前記一対の係止突起を形成し、前記金属片の前記両端の間の部分は前記外材と前記内材とに挟まれるようにしてもよい。
【０００９】
本発明による万年筆において、
前記筆記ユニットは、軸方向へ摺動可能に前記収容体に設けられた位置決め片と、前記収容体内に設けられ前記収容体の内壁と前記位置決め片との間で軸方向に圧縮された弾性部材と、を有し、
前記筆記ユニットが前記ケースに収容された際に、前記位置決め片は、前記弾性部材によって軸方向へ付勢されて前記ケースの内壁に当接するようにしてもよい。
【００１０】
本発明による万年筆において、
前記筆記ユニットは、前記動作体上に設けられ前記動作体に対して摺動可能な摺動体と、前記摺動体を付勢する弾性部材と、をさらに有し、
前記摺動体は、前記筆記ユニットが前記ケースに収容された際に、前記弾性部材によって前記操作体に向けて付勢され、前記操作体と係合し且つ前記操作体の動作にともなって摺動し、
前記ケース本体は、前記摺動体の摺動を案内するガイドを有し、前記摺動体は、前記ガイドと係合する係合部を有し、
前記係合部は、前記ガイドに沿った移動可能な範囲内の一部の区間において、ガイドから離脱可能となっていてもよい。
【００１１】
本発明による万年筆において、前記筆記ユニットが前記ケースに収容され且つ前記不使用状態にある場合において、前記摺動体が前記弾性部材の付勢に抗して前記操作体から最も離間する位置およびその近傍の位置に配置されると、前記摺動体の前記係合部が前記ケース本体の前記ガイドから離脱可能となっていてもよい。
【００１２】
本発明による万年筆において、
前記操作体は、前記ケース本体の内壁に面する第１面と前記第１面の反対側面であって前記摺動体に面する第２面とを有する本体部と、前記第１面および前記第２面を結ぶ方向に前記本体部を貫通し前記本体部に対して摺動可能なピンと、を有し、
前記ピンは、前記第１面の側から突出するように前記第２面の側から前記第１面の側へ向けて付勢されており、
前記ケース本体は、前記筆記ユニットが前記ケースに収容され且つ前記不使用状態にある場合に前記操作体の前記ピンと対面する位置に、前記本体部の前記第１面から突出した前記ピンを受ける係止凹部を形成されていてもよい。
【００１３】
本発明による万年筆において、前記摺動体は、前記操作体の前記ピンと対面する位置に、前記本体部の前記第２面から突出した前記ピンを受ける連結凹部を形成されていてもよい。
【００１４】
本発明による万年筆において、
前記筆記ユニットは、前記収容体内に設けられ前記筆記体を前記開口から離間する方向へ付勢する主弾性部材と、前記収容体内における前記筆記体と前記動作体との間に設けられた中間部材と、をさらに有し、
前記収容体の内壁には、前記中間部材と係合可能な係合段が設けられ、
前記中間部材は、前記動作体の動作にともなって、前記係合段と係合し或いは前記係合段との係合を解除され、前記係合段と係合した場合に前記筆記体を前記使用状態の位置に配置する係止位置に係止され、前記係合段との係合を解除されると前記主弾性部材によって前記係止位置から前記動作体の側へ向けて弾発され、
前記動作体と前記中間部材との間に、前記主弾性部材の前記弾発力を吸収するための吸収機構が設けられていてもよい。
【００１５】
本発明による万年筆において、前記ケース蓋体の裏面にクッション材が設けられていてもよい。
【００１６】
本発明による万年筆において、
前記ケースは、前記ケース本体および前記ケース蓋体のいずれか一方に装着されたクリップをさらに有し、
前記クリップは、前記ケース本体および前記ケース蓋体のいずれか一方への装着位置から離間した位置において前記ケース本体またはケース蓋体に当接するようになる当接部を有し、
前記ケース本体またはケース蓋体は、前記ケースの外表面をなす金属製の外材を含み、当該外材の前記当接部に対面する位置に孔が形成されていてもよい。
【００１７】
本発明による万年筆において、
前記ケース本体は、軸方向の端部に前記先端開口を画成する筒状部を有し、
前記ケース蓋体は、前記ケース本体に装着された際に前記ケース本体の前記筒状部内に挿入される引っ掛け突起を有し、
前記操作体の前記本体部には前記引っ掛け突起が挿入可能な大きさの受け溝が形成されていてもよい。
【００１８】
本発明による筆記ユニットは、上述したいずれかの本発明による万年筆に組み込まれた筆記ユニットである。
【００１９】
本発明によるケースは、上述したいずれかの本発明による万年筆に組み込まれたケースである。
【発明の効果】
【００２０】
本発明によれば、万年筆の外観の意匠性を向上させることができる。
【図面の簡単な説明】
【００２１】
【図１】図１は、不使用状態における万年筆を示す縦断面図である。
【図２】図２は、使用状態における万年筆を示す縦断面図である。
【図３】図３は、万年筆の筆記ユニットを示す縦断面図である。
【図４】図４は、万年筆のケースのケース本体を示す縦断面図である。
【図５】図５は、万年筆のケースのケース蓋体を示す縦断面図である。
【図６】図６は、万年筆のケースを示す横断面図であって、図４および図５におけるＡ−Ａでのケースの断面を示している。
【図７】図７は、ケース本体からケース蓋体を取り外した状態を示す斜視図である。
【図８】図８は、ケースから筆記ユニットを取り出した状態を示す斜視図である。
【図９】図９は、ケースのケース本体と筆記ユニットの摺動体との係合を解除した状態を示す縦断面図である。
【図１０】図１０は、ケースのケース本体と筆記ユニットの摺動体との係合を解除する前の状態を示す縦断面図である。
【図１１】図１１は、筆記ユニットを示す縦断面図である。
【図１２】図１２は、筆記ユニットの中間部材と係合段との間での係合を説明するための模式図である。
【図１３】図１３は、図６に対応する図であって、ケースの一変形例を説明するための図である。
【図１４】図１４は、万年筆の部分縦断面図であって、ケースの操作体の一変形例を説明するための図である。
【図１５】図１５は、図１４に示された操作体の動作を説明するための図である。
【発明を実施するための形態】
【００２２】
図１〜図１２は、本発明の一実施の形態を説明するための図であり、図１３〜図１５は、図１〜図１２に示された一実施の形態に対する変形例を説明するための図である。以下、図面を参照しながら、図示された本発明の一実施の形態に係る万年筆およびその変形例について説明する。
【００２３】
図１〜図１２に示すように、万年筆１０は、筆記ユニット５０と、筆記ユニット５０を取り出し可能に収容するケース１５と、を有している。筆記ユニット５０は、インクを貯蔵するインク貯蔵部５７およびインク貯蔵部５７からインクを供給されるペン先５６を有した筆記体５５と、筆記体５５を取り出し可能且つ摺動可能に収容し、ペン先５６が出入する開口６０ａを形成された収容体６０と、収容体６０の開口６０ａを開閉可能に収容体６０に取り付けられ開口６０ａを閉鎖するように付勢された閉鎖蓋６８と、収容体６０に動作可能に設けられた動作体（スライドカム）７０と、を有している。一方、ケース１５は、軸方向に延びる側開口２０ａを形成されたケース本体２０と、ケース本体２０に取り外し可能に装着されるケース蓋体（ドア）３５と、ケース本体２０に動作可能に設けられた操作体４０と、を有する。万年筆１０は長手方向を有しており、本明細書ではこの長手方向を軸方向と呼ぶ。また、軸方向におけるペン先５６の側（方）を前側（前方）と呼び、軸方向におけるペン先５６とは反対の側（方）を後側（後方）と呼ぶ。
【００２４】
筆記ユニット５０の動作体７０は、筆記ユニット５０がケース１５に収容された状態において、ケース１５の操作体４０と係合して操作体４０のケース本体２０に対する動作にともなって動作可能となっている。そして、操作体４０を介して動作体７０を動作させることによって、筆記体５５のペン先５６がケース１５の先端開口１５ａから延び出る使用状態（筆記状態）と、筆記体５５のペン先５６が収容体６０内に位置するとともに収容体６０の開口６０ａが閉鎖蓋６８によって閉鎖された不使用状態（携帯状態）と、のいずれかに維持することが可能となっている。以下、万年筆１０の構成および動作をより詳細に説明する。
【００２５】
まず、万年筆１０のケース１５の構成を説明する。図４に示すように、ケース１５のケース本体２０は、筆記ユニット５０の前方端部を周囲から包囲する筒状部２７を有し、この筒状部２７の前方端部に、先端開口１５ａが形成されている。また、図４に示すように、ケース本体２０の側方には側開口２０ａが形成されている。側開口２０ａは、軸方向に後端まで延びており、ケース本体２０上に装着される筆記ユニット５０が通過可能な大きさとなっている。
【００２６】
図６に示すように、ケース蓋体３５は、ケース本体２０の側開口２０ａを塞ぐようにして、ケース本体２０に装着され得るようになっている。図４〜図７に示すように、ケース本体２０およびケース蓋体３５は、それぞれ、軸方向に延びる凸条２８，３６を有している。ケース本体２０の凸条２８およびケース蓋体３５の凸条３６は、ケース本体２０およびケース蓋体３５が重ね合わされた状態で軸方向に相対移動することによって係合するようになっている。この凸条２８，３６の係合によって、軸方向に直交する径方向へのケース本体２０およびケース蓋体３５の相対移動が規制されるようになる。
【００２７】
また、図４〜図７に示すように、ケース本体２０およびケース蓋体３５のいずれか一方にくぼみ３７が形成され、ケース本体２０およびケース蓋体３５の他方のくぼみ３７に対面する位置に係止突起２３ａが設けられている。図示された例では、ケース本体２０に係止突起２３ａが設けられ、ケース蓋体３５にくぼみ３７が形成されている。くぼみ３７と係止突起２３ａは、ケース本体２０およびケース蓋体３５の凸条２８，３６が互いに係合するようにしてケース本体２０およびケース蓋体３５が軸方向に相対移動することによって係合することができる。そして、この係止突起２３ａとくぼみ３７との係合によって、軸方向へのケース本体２０およびケース蓋体３５の相対移動が規制されるようになる。
【００２８】
このように一対の凸条２８，３６による係合と、くぼみ３７および係止突起２３ａによる係合と、によって、ケース本体２０およびケース蓋体３５の間での軸方向および径方向の両方向への相対移動が規制され、ケース本体２０へのケース蓋体３５の装着が安定して維持され得る。これにより、意図せずケース蓋体３５がケース本体２０から外れてしまうことをより効果的に抑制することができる。とりわけ、図示された例では、くぼみ３７が凸条３６の上面に形成されている。すなわち、くぼみ３７および係止突起２３ａは、凸条２８および凸条３６の係合によって意図しない変形が効果的に抑制された部位にて、互いに係止されることになる。このため、意図しない外力が加えられたとしても、係止突起２３ａとくぼみ３７との係合状態が安定して維持されるようになり、ケース蓋体３５がケース本体２０から意図せず外れてしまうことをより効果的に防止することができる。
【００２９】
図４に示すように、ケース本体２０は、ケース１５の外表面をなす外材２１と、外材２１の内側に配置された内材２２と、外材２１の内面に沿って延びるＵ字状の金属片２３と、を有している。そして、金属片２３の端部が、ケース蓋体３５のくぼみ３７と係合する係止突起２３ａをなしている。図６および図７に示すように、金属片２３は、係止突起２３ａの両端を除くその一部分を、好ましくは両端以外のすべての部分を、外材２１と内材２２とに挟まれている。このような構成によれば、金属片２３の端部が、所望の弾性を長期にわたって維持することが可能となり、これにより、ケース蓋体３５がケース本体２０から意図せず外れてしまうことを安定して防止することができる。
【００３０】
図５に示すように、ケース蓋体３５も、ケース１５の外表面をなす外材３５ａと、外材３５ａの内側に配置された内材３５ｂと、を有している。ケース本体２０およびケース蓋体３５が、外材２１，３５ａと内材２２，３５ｂとを有することから、ケース１５に所望の剛性を付与し得るように内材２２，３５ｂを設計しながら、ケース１５に優れた意匠性を付与し得るように外材２１，３５ａを設計することができる。
【００３１】
図４，図８および図９に示すように、ケース本体２０は、操作体４０を支持するためのガイド２５を有している。ガイド２５は、ケース本体２０の内壁の互いに対向する位置に一対設けられ、軸方向に沿って直線状に延びている。各ガイド２５は、一対のレール２５ａ，２５ｂから構成されており、図４に示すように、側開口２０ａよりのレール２５ａは欠損部２５ａ１において途切れている。
【００３２】
図９に示すように、ケース本体２０上で動作可能な操作体４０は、各ガイド２５の一対のレール２５ａ，２５ｂに配置される一対のスライド係合条４３を有している。スライド係合条４３は、直線状に延びていて、ガイド２５に対して摺動可能となっている。このスライド係合条４３をガイド２５に嵌め込むことによって、操作体４０が、摺動可能にケース本体２０に装着されている。
【００３３】
図１および図２に示すように、操作体４０は、スライド係合条４３を設けられた本体部４１と、ケース本体から突出したノブ４２と、本体部４１に内蔵されたピン４５と、を有している。本体部４１は、ケース本体２０の内壁に面する第１面４１ａと、第１面４１ａの反対側面であって筆記ユニット５０の後述する摺動体９０に面する第２面４１ｂと、を有している。ピン４５は、第１面４１ａおよび第２面４１ｂを結ぶ方向に延び、且つ、当該方向に摺動可能となっている。ピン４５は、本体部４１を貫通する長さを有しており、第１面４１ａおよび第２面４１ｂのいずれかから突出している。ピン４５は、バネ等の弾性部材（図示せず）によって、第１面４１ａの側から突出するように第２面４１ｂの側から第１面４１ａの側へ向けて付勢されている。
【００３４】
一方、ケース本体２０には、本体部４１の第１面４１ａから突出したピン４５を受ける係止凹部２０ｂが形成されている。図１に示すように、ピン４５は、操作体４０がケース本体２０に対して摺動可能な範囲のうち軸方向において最も後方側によった位置に配置された際に、ケース本体２０の係止凹部２０ｂに対面して係止凹部２０ｂ内に進入することとなる。なお、筆記ユニット５０がケース１５に収容され且つ不使用状態にある場合に、操作体４０がケース本体２０に対して摺動可能な範囲のうち軸方向において最も後方側によった位置に配置され、ピン４５が係止凹部２０ｂに延び入るようになる。ピン４５が係止凹部２０と係合すると、操作体４０はケース本体２０に対して自由に動作することを規制される。
【００３５】
ただし、ピン４５の係止凹部２０ｂ側の先端は曲面状に形成されている。また、ピン４５が係止凹部２０ｂに係合した状態から操作体４０を動作させる際に、ピン４５が接触するようになる係止凹部２０ｂの面は傾斜面となっている。このため、操作体４０に対して軸方向前方に意図的に操作力を加えると、ピン４５と係止凹部２０ｂとの係合が解除され、操作体４０をケース本体２０に対して摺動させることができる。
【００３６】
さらに、ケース１５は、ケース本体２０およびケース蓋体３５のいずれか一方に装着されたクリップ３０を有している。図示された例において、クリップ３０は、ケース本体２０に装着され、ケース本体２０への装着位置から離間した位置においてケース本体２０に当接するようになる当接部３１ａを有している。ケース本体２０の外材２１には、当接部３１ａに対面する位置に貫通孔３３が形成されている。従来、クリップの当接部によって、金属からなる万年筆の外表面、とりわけ、梨地処理等の高級感を増すための表面処理がなされた万年筆の外表面に、傷がついてしまうことがあり、結果として、万年筆の高級感が大きく損ねられてしまっていた。このような問題に対し、当接部３１ａに対面するようになる外材２１の部位に貫通孔３３を設けた場合には、クリップ３０に起因した傷の発生を防止することができ、結果として、万年筆の高級感を維持することができる。
【００３７】
次に、筆記ユニット５０について説明する。上述したように、筆記ユニット５０は、開口６０ａを有した収容体６０と、収容体６０内に取り出し可能に収容された筆記体５５と、収容体６０に設けられた動作体７０と、を有している。筆記体５５は、インクを貯蔵するインク貯蔵部５７と、インク貯蔵部５７からインクを供給されるペン先５６と、を有している。収容体６０は、互いから分離可能に連結された前筒６１および後筒６２とから構成されている。前筒６１には、筆記体５５のペン先が通過する開口（前方開口）６０ａが形成されている。そして、開口６０ａを閉鎖するための開閉蓋６８が、前筒６１に揺動可能に設けられている。開閉蓋６８は、例えば捻りバネからなる弾性部材（閉鎖弾性部材）６９によって、開口６０ａを塞ぐ位置に向けて付勢されている。動作体７０は、収容体６０の後筒６２の後端に形成された後方開口を介してその一部分が収容体６０の外部に延び出ている。動作体７０は、収容体６０に対して軸方向に摺動可能となっている。
【００３８】
図３に示すように、筆記ユニット５０は、収容体６０内に設けられ筆記体５５を開口６０ａから離間する方向へ付勢する主弾性部材（例えば、バネ）５１と、収容体６０内における筆記体５５と動作体７０との間に設けられた中間部材８０と、をさらに有している。主弾性部材（主バネ）５１は、筆記体５５、中間部材８０および動作体７０を軸方向に沿って後方に付勢している。また、収容体６０の内壁には、中間部材８０と係合可能な係合段６４が設けられている。中間部材８０がこの係合段６４との係合することによって、閉鎖蓋６８を押し開いて筆記体５５のペン先５６が収容体６０の開口６０ａから突出した状態に維持されるようになっている。とりわけ、図示する例においては、動作体７０によって中間部材８０を操作することにより、筆記ユニット５０が、閉鎖蓋６８を押し開いて筆記体５５のペン先５６が収容体６０の開口６０ａから突出した状態と、筆記体５５が収容体６０内に配置され閉鎖蓋６８が開口６０ａを閉鎖した状態と、を交互に取るようになる。このような動作体７０の操作によるペン先５６の繰り出し（ノック式の繰り出し）は、一例として、図１１および図１２に示された構成によって実現され得る。以下、図１１および図１２を参照しながら、ペン先の繰り出し機構の一例について説明する。
【００３９】
図１２に示すように、収容体６０の後筒６２の内壁に、軸方向に延びる第１係合溝６５ａと、第１係合溝６５ａとは異なる深さの第２係合溝６５ｂと、が形成されている。第１係合溝６５ａおよび第２係合溝６５ｂは、収容体６０の内壁に、周方向に沿って一定のピッチで交互に形成されている。一方、図１１および図１２に示すように、動作体７０には、係合溝６５ａ，６５ｂ内を軸方向に摺動可能な案内突起７１が、周方向に、係合溝６５ａ，６５ｂと同一ピッチで形成されている。案内突起７１と係合溝６５ａ，６５ｂとの係合によって、動作体７０が収納体６０に対して軸方向に摺動可能となっている。動作体７０の軸方向における前方側の端面は、凹凸面として形成され、案内突起７１から軸方向にずれた位置に凹凸面の凸部７２が設けられている。動作体７０は、スライドカムとして機能し、凸部７２を介して中間部材８０を動作させる。
【００４０】
図１１および図１２に示すように、中間部材８０は、凸部７２と接触するカム突起８１であって半径方向に突出したカム突起８１を有している。カム突起８１は、第１係合溝６５ａと同一ピッチ、言い換えると、第２係合溝６５ｂと同一ピッチで周方向に設けられている。すなわち、カム突起８１の周方向への配置ピッチは、動作体７０の凸部７２の周方向への配置ピッチの２倍となっている。カム突起８１は、図１２の左側図に示すように第２係合溝６５ｂ内を摺動し得るように構成され、その一方で、図１２の右側図に示すように第２係合溝６５ｂよりも浅い第１係合溝６５ａ内には入り込めないように構成されている。動作体７０の凸部７２と接触するようになるカム突起８１の接触面（軸方向の後側の面）８２は、一定方向に傾斜した傾斜面として形成されている。また、収容体６０の後筒６２に形成された係合段６４は、隣り合う二つの第２係合溝６５ｂの間に設けられ、中間部材８０のカム突起８１の接触面８２に軸方向後方から接触するようになる。係合段６４は、鋸歯状に形成されて、カム突起８１の接触面８２と同じ側に傾斜した摺動面８２ａと、軸方向に延び二つの摺動面８２ａの間を接続する係止面８２ｂと、を有している。
【００４１】
このような構成によれば、中間部材８０のカム突起８１が収容体６０の第２係合溝６５ｂに対面する場合、主弾性部材５１からの付勢力により、カム突起８１が第２係合溝６５ｂ内を摺動して、中間部材８０が収容体６０に対して軸方向後方に摺動する（図１２の左側図）。このとき、筆記体５５も、主弾性部材５１からの付勢力によって中間部材８０とともに軸方向後方に摺動し、筆記体５５が完全に収容体６０内に配置され、開口６０ａが閉鎖蓋６８によって閉鎖される。
【００４２】
この状態から、動作体７０を軸方向前方に摺動させていくと、中間部材８０のカム突起８１が収容体６０の第２係合溝６５ｂから軸方向前方に抜け出す。このとき、主弾性部材５１の付勢力は、中間部材８０のカム突起８１の傾斜した接触面８２が動作体（スライドカム）７０の凹凸面の凸部７２に対して摺動するよう、中間部材８０を回転させる。図１２の右側図に示すように、中間部材８０の回転は、接触面８２が係止段６４の摺動面６４ａ上をすべって、カム突起８１が係止段６４の係止面６４ｂによって係止されるまで、継続される。図１１および図２に示すように、カム突起８１が係止段６４の係止面６４ｂによって係止された状態において、中間部材８０は、筆記体５５とともに、収容体６０に対して軸方向前方に摺動している。そしてこのとき、筆記体５５のペン先５６は、閉鎖蓋６８を押し開いて、収容体６０の開口６０ａから延び出した状態に維持される。この状態のとき、図１２の右側図に示すように、カム突起８１は、第１係合溝６５ａに対面する位置に配置されている。
【００４３】
図１２の右側図の状態から、さらに動作体７０を軸方向前方に摺動させると、中間部材８０のカム突起８１が係合段６４の係止面６４ｂを乗り越え、中間部材８０が再び回転可能となる。図１２の左側図に示すように、中間部材８０の回転は、接触面８２が係止段６４の摺動面６４ａ上をすべって、カム突起８１が収容体６０の第２係合溝６５ｂに入り込むまで継続される。以上にようにして、動作体７０を動作させることによって、回転カムとして機能する中間部材８０と係合段６４との係合、並びに、中間部材８０と係合段６４との係合解除が繰り返され、ペン先５６が収容体６０からの出没を繰り返すことになる。
【００４４】
引き続き、筆記ユニット５０の構成について説明する。図３に示すように、中間部材８０は、軸方向後方に延び出る軸部分８３を有している。一方、動作体７０は、中間部材８０の軸部分８３を受ける中空部分７３を有している。軸部分８３は外径が拡大した拡径部８３ａを有し、中空部分７３は内径が縮小した縮径部７３ａを有している。このため、図２に示すように、中間部材８０の軸部分８３は、動作体７０の中空部分７３から抜け出さないようになっている。また、中間部材８０と動作体７０との間には、軸方向に圧縮された弾性部材（例えば、バネ）７９が設けられている。なお、中間部材８０と動作体７０との間の弾性部材（内部弾性部材）７９の付勢力は、主弾性部材５１の付勢力よりも小さい。このため、中間部材８０は、動作体７０の動作にともなって係合段６４との係合を解除されると、主弾性部材５１によって、係合段６４に係止された係止位置から動作体７０へ向けて弾発される。そして、このような弾発力を吸収するため、動作体７０と中間部材８０との間に、より詳しくは動作体７０の中空部分７３内に、主弾性部材５１の弾発力を吸収するための吸収機構９７が設けられている。吸収機構９７は、例えば、図３に示されたバネ等の弾性部材と弾性部材に支持された受け部材との組み合わせ構造、バネ等の弾性部材、低反発材かなる部材等から構成され得る。
【００４５】
また、図３および図８に示すように、筆記ユニット５０は、動作体７０上に設けられ動作体７０に対して摺動可能な摺動体９０と、摺動体９０と動作体７０との間に配置された弾性部材（例えば、バネ）８９と、をさらに有している。摺動体９０と動作体７０との間の弾性部材（誘導弾性部材）８９は、摺動体９０を軸方向後方に付勢している。摺動体９０は、動作体７０上に設けられた筒状スライダー９２と、筒状スライダー９２に連結されたノブカバー９１と、を有している。
【００４６】
図１および図２に示すように、ノブカバー９１は、筆記ユニット５０がケース１５に収容された際に、弾性部材８９の付勢力によって操作体４０の本体部４１を第２面４１ｂの側から覆う位置に配置される。そして、ノブカバー９１は、操作体４０のピン４５と対面する位置に、操作体４０の本体部４１の第２面４１ｂから突出したピン４５を受ける連結凹部９４を形成されている。したがって、操作体４０を軸方向前方に摺動させると、ピン４５が本体部４１の第２面４１ｂから突出して、ノブカバー９１の連結凹部９４に入り込む。このため、摺動体９０は、筆記ユニット５０がケース１５に収容された状態において操作体４０を操作する際に、操作体４０と係合し且つ操作体４０の動作にともなって摺動するようになる。
【００４７】
また、図８〜図１０に示すように、摺動体９０は、ケース本体２０に設けられた一対のガイド２５とそれぞれ係合する一対の係合部（係合突出部）９３を有している。各係合部９３は、対応する側のガイド２５をなす一対のレール２５ａ，２５ｂの間を軸方向に摺動することができる。そして、係合部９３は、ガイド２５に沿った移動可能な範囲内の一部の区間において、具体的には、下側レール２５ａに形成された欠損部（切欠部）２５ａ１において、ガイド２５から離脱可能となっている。このため、筆記ユニット５０の摺動体９０がケース本体２０のガイド２５と係合することによって、筆記ユニット５０がケース本体２０から意図せず外れてしまうことを効果的に防止することができる。また、操作体４０と同様に摺動体９０の動作もガイド２５に案内されることになるので、操作体４０および摺動体９０の動作がスムースになる。
【００４８】
とりわけ、図示された例では、筆記ユニット５０がケース１５に収容され且つ不使用状態にある場合において、すなわち、筆記ユニット５０がケース１５に収容され且つ中間部材８０のカム突起８１が収容体６０の係合段６４に係止されていない場合において、摺動体９０が弾性部材８９の付勢に抗して操作体４０から最も離間する位置およびその近傍の位置に配置されると、摺動体９０の係合部９３がガイド２５の欠損部２５ａ１に対面しガイド２５から離脱可能となる。言い換えると、筆記ユニット５０がケース１５に収容され且つ不使用状態にある場合において、万年筆１０に外力が加えられていないとき、摺動体９０は、弾性部材８９からの付勢によって、係合部９３がケース本体２０のガイド２５から離脱不可能となる位置に配置される。したがって、筆記ユニット５０がケース本体２０から意図せず外れてしまうことを効果的に防止することができる。その一方で、摺動体９０を軸方向前方に押し切ったところで、筆記ユニット５０の摺動体９０がケース本体２０のガイド２５から離脱可能となるので、筆記ユニット５０のケース本体２０からの取り外しを容易に行うこともできる。
【００４９】
さらに、図１，図２および図８に示すように、筆記ユニット５０は、収容体６０に軸方向へ摺動可能に設けられた位置決め片（位置決め部材）６６と、収容体６０内に設けられ収容体６０の内壁と位置決め片６６との間で軸方向に圧縮された弾性部材（例えば、バネ）６７と、を有している。図８から理解され得るように、位置決め片６６は、動作体７０に貫通された筒状の部材として構成されている。筆記ユニット５０がケース１５に収容された際に、位置決め片６６は、弾性部材（位置決め弾性部材）６７によって軸方向後方へ付勢されてケース１５の内壁、より詳しくは、ケース本体部２０の位置決め段２９（図４参照）に当接する。このような構成によって、ケース１５内において筆記ユニット５０を軸方向に位置決めすることができる。
【００５０】
なお、筒状の位置決め片６６を貫通する動作体７０は、Ｏリング７８を保持している。そして、図１に示すように、中間部材８０のカム突起８１が収容体６０の係合段６４に係止されていない場合、主弾性部材５１に付勢された動作体７０は、Ｏリング７８を介して、位置決め片６６を軸方向後方へ付勢する。つまり、不使用状態の際、位置決め片６６は、位置決め片６６と収容体６０との間の弾性部材６７からだけでなく、さらに主弾性部材５１からも、ケース１５の内壁に向けて押圧されるようになる。したがって、万年筆１０を携帯する際等に、ケース１５内で筆記ユニット５０が動いてしまうことが効果的に抑制され、インクの飛散等を効果的に防止することができる。なお、Ｏリング７８は、閉鎖蓋６８と同様に、不使用状態時における収容体６０内でのインクの乾きを抑制する。
【００５１】
また、ケース１５内における径方向への筆記ユニット５０の位置決めを行うため、ケース１５内にクッション材を設けるようにしてもよい。例えば、ケース１５のケース蓋体３５の内面や、ケース本体２０の内面にクッション材を接着しておくようにしてもよい。さらに、ケース１５内における周方向への筆記ユニット５０の位置決めを行うため、筆記ユニット５０およびケース１５に凹凸等の係合構造を形成しておくようにしてもよい。
【００５２】
次に、以上の構成からなる万年筆１０の動作について説明する。まず、筆記ユニット５０がケース１５内に収容された状態において、図１の不使用状態から図２の使用状態、又は、使用状態から不使用状態に切り換える場合、操作体４０のノブ４２に指を置いて、操作体４０を軸方向前方に押圧する。操作体４０は、摺動体９０ともに摺動し、動作体７０に接触して動作体７０を軸方向下方に動作させる。これにより、万年筆１０を不使用状態から使用状態に切り換えることができる。使用状態において、筆記体５５のペン先５６が万年筆１０の先端開口１５ａ突出し、この万年筆１０を用いた筆記が可能となる。筆記が終了した場合、操作体４０を軸方向前方に再度押圧して動作体７０を動作させることにより、万年筆１０を使用状態から不使用状態に切り換えることができる。不使用状態において、収容体６０の開口６０ａは閉鎖蓋６８によって閉鎖され、また、主弾性部材５１の付勢力を利用して収容体６０の後方の隙間がＯリング７８で塞がれる。これにより、インクのドライアップが効果的に防止されるようになる。
【００５３】
なお、操作体４０を操作する際、操作体４０は、ピン４５を介して摺動体９０と係合され且つ摺動体９０とともにガイド２５に動作を誘導される。したがって、動作体４０を安定してスムースに動作させて、万年筆１０を不使用状態から使用状態、並びに、使用状態から不使用状態へと安定して切り換えることができる。
【００５４】
また、使用状態から不使用状態に切り換える際、中間部材８０のカム突起８１の収容体６０の係合段６４への係合が解除されると、主弾性部材５１によって、筆記体５５とともに中間部材８０が動作体７０へ向けて弾発されることになる。このとき、中間部材８０が動作体７０に高速で衝突することの不具合、例えば、衝突音の発生、さらには中間部材８０や動作体７０の破損が予想される。とりわけ、通常のノック式の筆記具では、ノック操作を行うためのノック体に主弾性部材の弾発力が加えられる際、使用者の指がノック体上に載っている。したがって、この指が、軸方向に加えられる主弾性部材の弾発力を、軸方向から受けることになり、衝突力や異音が指に吸収されることになる。その一方で、ここで説明する万年筆１０では、デザイン性等を考慮すると、主弾性部材５１からの弾発力が加えられる軸方向から使用者の指が動作体７０を支持しにくくなることも想定される。またここで説明する万年筆１０では、筆記ユニット５０の開閉蓋６８と開口６０との間でペン先５６が挟持されないように、主弾性部材５１の弾発力が比較的強く設定されていることが好ましい。そのため、ここで説明した万年筆１０では、動作体７０と中間部材８０との間に、主弾性部材５１の弾発力を吸収するための吸収機構９７が設けられている。この吸収機構９７によって、中間部材８０が動作体７０に高速で衝突することの不具合を効果的に防止することができる。
【００５５】
さらに、不使用状態において、操作体４０は、弾性部材８９によって、摺動体９０とともに軸方向後方に付勢される。また、操作体４０は、弾性部材８９によって軸方向後方に付勢された場合に、ピン４５が係止凹部２０ｂ内に入り、自由な移動を規制されるようになる。すなわち、不使用状態において、操作体４０は所定の位置に保持されるようになる。これにより、万年筆１０を携帯する際等に、操作体４０が意図せずノックされて動作体７０を介して筆記ユニット５０の筆記体５５が収容体６０内で動いてしまうことを、効果的に防止することができる。
【００５６】
次に、筆記ユニット５０をケース１５から取り外す際の動作を説明する。まず、ケース本体２０からケース蓋体３５を取り外す。ケース蓋体３５が取り外されたとき、摺動体９０は弾性部材８９によって操作体４０とともに軸方向後方に付勢されている。この状態から、図１０に示すように、弾性部材８９の付勢力に抗して操作体９０を軸方向前方へ摺動させる。このとき、操作体４０はピン４５を介してケース本体２０に係止されており、且つ、操作体４０と摺動体９０とは係合されていないので、操作体９０のみを安定して容易に移動させることができる。したがって、操作体９０を移動可能な範囲のうちの軸方向に沿った最前方の位置まで移動させ、操作体９０の突出部９３をケース本体２０のガイドレール２５の欠損部２５ａ１に対面させることができる。このような簡単な操作を経て、操作体９０のケース本体２０への係合を解除して、ケース本体２０から筆記ユニット５０を取り外すことができる。なお、筆記体５５は不使用状態において収容体６０内に収容されているため、筆記ユニット５０の外表面には飛散したインクが付着し辛くなっている。したがって、万年筆１０の使用者は、以上の作業を極めて容易に行って筆記ユニット５０をケース１５から取り出すことができ、そしてその後、インクの補充やペン先の筆記体５５のメンテナンス等を行うことができる。
【００５７】
ところで、図５に示すように、ケース蓋体３５は、ケース本体２０に装着された際にケース本体２０の筒状部２７内に挿入される引っ掛け突起３８を有している。一方、図８に示すように、操作体４０の本体部４１には、ケース蓋体３５の引っ掛け突起３８が挿入可能な大きさの受け溝（引っ掛け溝）４４が形成されている。そこで、ケース蓋体３５の引っ掛け突起３８を、操作体４０の本体部４１の受け溝４４に挿入して摺動体９０のノブカバー９１に引っ掛けることにより、ケース本体２０から筆記ユニット５０を容易に取り出すことができる。
【００５８】
次に、筆記ユニット５０をケース１５に取り付ける場合の動作を説明する。まず、図９に示すように、筆記ユニット５０の前方端部をケース本体２０の筒状部２７に挿入する。その後、摺動体９０の突出部９３がケース本体２０のガイド２５の欠損部２５ａ１に対面するように、摺動体９０を摺動させる。次に、欠損部２５ａ１を介して一対のレール２５ａ，２５ｂ間に突出部９３を挿入させるようにして、筆記ユニット５０をケース本体２０上へ配置する。これにより、摺動体９０がケース本体２０のガイド２５に係合した状態で、筆記ユニット５０がケース本体２０に収容される。またこのとき、弾性部材６７によって付勢された位置決め片６６がケース１５の位置決め段２９と係合し、筆記ユニット５０がケース１５内で自動的に位置決めされる。さらに、筆記ユニット５０をケース本体２０に装着している間、ケース本体２０上の操作体４０は、ピン４５を介して所定の位置に係止されている。したがって、筆記ユニット５０をケース本体２０に容易に装着することができる。
【００５９】
その後、ケース蓋体３５をケース本体２０上に重ね合わせ、ケース蓋体３５とケース本体２０とを軸方向に相対移動させる。これにより、一対の凸条２８，３６による係合と、くぼみ３７および係止突起２３ａによる係合と、によって、ケース本体２０およびケース蓋体３５の間での軸方向および径方向への相対移動が規制され、ケース本体２０へのケース蓋体３５の装着が安定して維持され得る。また、ケース蓋体３５がケース本体２０に装着された際に、ケース蓋体３５の引っ掛け突起３８がケース本体２０の筒状部２７内に挿入される。このため、ケース本体２０へのケース蓋体３５の装着がさらに安定する。これらにより、意図せずケース蓋体３５がケース本体２０から外れてしまうことをより効果的に抑制することができる。また、筆記ユニット５０は、ケース本体２０に装着されると、摺動体９０がケース本体２０のガイド２５と係合し、筆記ユニット５０がケース本体２０から意図せず外れてしまうことが防止される。このため、筆記ユニット５０をケース本体２０に収容した後、ケース蓋体３５のケース本体２０への取り付け作業を安定して容易に行うことができる。
【００６０】
以上のような本実施の形態における万年筆１０は、ペン先５６が出入可能な筆記ユニット５０と、筆記ユニット５０を収容するケース１５と、を有している。したがって、不使用状態における筆記体５５からのインクの乾燥防止やインクの飛散防止等を、筆記ユニット５０の構成によって実現することができる。このため、ケース１５に対する構造上の制約が少なくなって、ケース１５に対する設計の自由度が非常に高くなる。これにより、優れた外観上の意匠性を万年筆１０に付与することができる。例えば、従来万年筆に存在していた周状のつなぎ目を万年筆１０の外表面から省き、全く新しい外観上のデザインを万年筆１０に付与することができる。
【００６１】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【００６２】
まず、図１３に示すように、ケース本体２０とケース蓋体３５との係合方法を変更してもよい。図１３に示された変形例では、一対の凸状２８，３６が省略され、ケース本体２０およびケース蓋体３５が、係止突起２３ａおよびくぼみ３９のみによって互いに係止されるようになっている。図１３に示された変形例において、係止突起２３ａは、上述した実施の形態と同様に、Ｕ字状の金属片の両端部によって形成されている。一方、くぼみ３９は、ケース蓋体３５の金属製の外材３５ａによって形成されている。ケース蓋体３５の外材３５ａは、内材３５ｂを三方から取り囲むように形成されている。そして、ケース本体２０の係止突起２３ａがケース蓋体３５のくぼみ３９へ外方から係合した際に、ケース蓋体３５の内材３５ｂはくぼみ３９をなす外材３５ａが内側に倒れ込むことを抑制する。また、係止突起２３ａおよびくぼみ３９が、それ自体剛性の高い金属から構成されている。したがって、図１３に示された変形例によれば、ケース蓋体３５をケース本体２０に対して径方向へ押し込むといった極めて簡単な操作により、ケース蓋体３５をケース本体２０に装着することができるとともに、ケース蓋体３５をケース本体２０によって安定して保持することができる。
【００６３】
次に、図１４および図１５に示すように、操作体４０を変形してもよい。図１４および図１５に示された変形例において、操作体４０は、本体部４１と、本体部４１に設けられた可動ノブ部材４８と、本体部４１および可動ノブ部材４８の間に配置された弾性部材（保持弾性部材）４７と、を有している。本体部４１は、上述した実施の形態と同様にスライド係合条（図示せず）を有し、ケース本体２０に対して軸方向に摺動可能に装着されている。一方、上述した実施の形態とは異なり、本体部４１には、固定ノブ４２が設けられておらず、その代わりに可動ノブ部材４８が設けられている。可動ノブ部材４８は、ケース本体２０に対面する基部４８ｂと、基部４８ｂの軸方向後端から延び出たノブ部４８ａと、を有している。弾性部材４７は、一例として板バネとして構成され、可動ノブ部材４８の基部４８ｂをケース本体２０に向けて付勢している。そして、ケース本体２０は、筆記ユニット５０がケース１５に収容され且つ不使用状態にある場合に操作体４０の可動ノブ部材４８の基部４８ｂと対面する位置に、基部４８ｂを受ける係止凹部２０ｃが形成されている。
【００６４】
このような例においては、図１４に示すように、上述した実施の形態と同様に、不使用状態において、操作体４０は、弾性部材８９によって摺動体９０とともに軸方向後方に付勢される。そして、操作体４０は、弾性部材８９からの付勢力によって軸方向後方に移動させられると、弾性部材４７によって付勢された可動ノブ部材４８の基部４８ｂが係止凹部２０ｃ内に入り、自由な移動を規制されるようになる。すなわち、不使用状態において、操作体４０は所定の位置に保持されるようになる。
【００６５】
ただし、可動ノブ部材４８の基部４８ｂが係止凹部２０ｃに係合した状態から操作体４０を動作させた際に接触を開始する基部４８ｂおよび係止凹部２０ｃの面は、それぞれ傾斜面として形成されている。このため、図１５に示すように、操作体４０に対して軸方向前方に意図的に操作力を加えると、可動ノブ部材４８の基部４８ｂと係止凹部２０ｂとの係合が解除され、操作体４０をケース本体２０に対して摺動させることができる。
【００６６】
加えて、図１５に示すように、可動ノブ部材４８が弾性部材４７の付勢力に抗して本体部４１に対して移動することにより、可動ノブ部材４８のノブ部４８ａが、本体部４１から突出して操作用のノブとして機能するようになる。これにより、操作体４０の操作を容易に行うことが可能となる。その一方で、図１４に示すように、操作体４０を操作していない場合、操作体４０から突出する部位が存在しなくなる。これにより、万年筆１０に優れた意匠性を付与することができる。
【符号の説明】
【００６７】
１０  万年筆
１５  ケース
１５ａ  先端開口
２０  ケース本体
２０ａ  側開口
２０ｂ  係止凹部
２１  外材
２２  内材
２３  金属片
２３ａ  係止突起
２５  ガイド
２７  筒状部
２８  凸条
３０  クリップ
３５  ケース蓋体、ドア
３６  凸条
３７  くぼみ
４０  操作体
４１  本体部
４１ａ  第１面
４１ｂ  第２面
４２  ノブ
４５  ピン
５０  筆記ユニット
５１  主弾性部材、主バネ
５５  筆記体
５６  ペン先
６０  収容体
６０ａ  開口
６４  係合段
６６  位置決め片、位置決め部材
６７  弾性部材（位置決め弾性部材）
６８  閉鎖蓋
７０  動作体、スライドカム
８０  中間部材、回転カム
８９  弾性部材（誘導弾性部材）
９０  摺動体
９３  係合部、係合突出部
９４  連結凹部
９７  クッション機構
【図１】
0005722133.tif 000002
【図２】
0005722133.tif 000003
【図３】
0005722133.tif 000004
【図４】
0005722133.tif 000005
【図５】
0005722133.tif 000006
【図６】
0005722133.tif 000007
【図７】
0005722133.tif 000008
【図８】
0005722133.tif 000009
【図９】
0005722133.tif 000010
【図１０】
0005722133.tif 000011
【図１１】
0005722133.tif 000012
【図１２】
0005722133.tif 000013
【図１３】
0005722133.tif 000014
【図１４】
0005722133.tif 000015
【図１５】
0005722133.tif 000016